(57)【特許請求の範囲】
【請求項１】
居室部とバルコニー部とを併せ持つ複数個の建物ユニットが並設されて構築されたユニット建物であって、上記複数個の建物ユニットのバルコニー部が連続してバルコニーが構成され、上記の複数個の建物ユニット同士に跨がって居室部とバルコニー部を区分する壁パネルが設けられていることを特徴とするユニット建物。
【請求項２】
上記バルコニー部が少なくともその２側方を壁に囲まれた引き込み型バルコニー部であることを特徴とする請求項１記載のユニット建物。
【発明の詳細な説明】
【０００１】
【発明が属する技術分野】
本発明は、複数個の建物ユニットが結合されて構築されたユニット建物であって、バルコニーが設けられたユニット建物に関するものである。
【０００２】
【従来の技術】
従来、例えば、特許第２５５７１６８号公報等に記載されているように、複数個の建物ユニットが結合されて構築されたユニット建物であって、バルコニーが設けられたユニット建物物が知られている。
【０００３】
【発明が解決しようとする課題】
しかしながら、従来のユニット建物においては、ベランダの大きさは建物ユニットの大きさを越えないものであって、複数個の建物ユニットに渡って設けられているものではなかった。
【０００４】
従って、従来のユニット建物においては、バルコニーの大きさや設置箇所は建物ユニットの大きさや設置箇所に限定されるものであり、バルコニーの大きさや設置箇所に自由度は限定されるものであった。
【０００５】
本発明は、従来のユニット建物における、このような問題点に着目してなされたものであり、その目的とするところは、従来のユニット建物における問題点を解消し、バルコニーの大きさや設置箇所に自由度の増大化を図ることのできるユニット建物を提供することにある。
【０００６】
【課題を解決するための手段】
上記の目的を達成するために、請求項１記載の本発明のユニット建物は、
居室部とバルコニー部とを併せ持つ複数個の建物ユニットが並設されて構築されたユニット建物であって、上記複数個の建物ユニットのバルコニー部が連続してバルコニーが構成され、上記の複数個の建物ユニット同士に跨がって居室部とバルコニー部を区分する壁パネルが設けられていることを特徴とするものである。
【０００７】
又、請求項２記載の本発明のユニット建物は、
請求項１記載のユニット建物において、上記バルコニー部が少なくともその２側方を壁に囲まれた引き込み型バルコニー部であることを特徴とするものである。
【０００８】
本発明において、壁パネルの材質としては、従来から壁パネルの材質として使用されているものが使用できるものであって、特に限定されないが、例えば、木質や型鋼からなる枠材に適宜表面材が取付けられたもの等が使用できる。
【０００９】
〔作用〕
請求項１記載の本発明のベランダ付きユニット建物においては、複数個の建物ユニットのバルコニー部が連続してバルコニーが構成されているので、バルコニーの大きさや設置箇所は建物ユニットの大きさや設置箇所に限定されるものではない。
【００１０】
又、複数個の建物ユニット同士に跨がって居室部とバルコニー部を区分する壁パネルが設けられているので、複数個の建物ユニットに跨がってバルコニーが設けられていても複数個の建物ユニット同士に跨がって設けられた壁パネルにより補強されている。
又、この壁パネルの任意の位置に開口を設けることができるので、複数個の建物ユニット同士に跨がる大型開口を設けることがてきる。
【００１１】
又、請求項２記載の本発明のユニット建物においては、バルコニー部が少なくともその２側方を壁に囲まれた引き込み型バルコニー部であるので、建物の外観に変化を与えることができる。
【００１２】
【発明の実施の形態】
次に、本発明の実施の形態を図面を参照しながら説明する。
（参考例１）
図１は本発明のユニット建物の参考例を示す斜視図、図２は図１のＩＩ−ＩＩ線における断面図、図３は図１、２に示す参考例のユニット建物の要部の分解斜視図である。
【００１３】
図１〜３において、１、１は１階の建物ユニットであり、建物ユニット１、１はコンクリート基礎１０の上に構築されている。２、２は２階の建物ユニットであり、２階の２個の隣接する建物ユニット２、２の前壁２１が引っ込まれて２階の２個の建物ユニット２、２に跨がってバルコニー部２２、２２が形成されている。２３は建物ユニット２、２内の居室部である。
【００１４】
３は２個の建物ユニット２、２に跨がって設けられた梁材、２２１はバルコニー部２２に設けられた手摺、４は屋根ユニットであり、屋根ユニット４は建物ユニット２及び梁材３に取付けられている。
【００１５】
図３において、３１は梁材３に立設されたジョイントボルトであり、ジョイントボルト３１により梁材３に屋根ユニット４が取付けられるようになっている。
図２に示すように、建物ユニット２の全長Ｌ１は５４００ｍｍ、バルコニー部２２の長さＬ２は３６００ｍｍ、前壁の長さＬ３は１８００ｍｍ、バルコニー部２２の奥行きＬ４は９００ｍｍである。
【００１６】
図１〜３に示す参考例のユニット建物においては、バルコニー部２２は２個の２階の建物ユニット２、２に跨がって設けられているので、バルコニー部２２の大きさ、即ち、Ｌ２、Ｌ４の長さや設置箇所は建物ユニット２の大きさや設置箇所に限定されるものではなく、バルコニー部２２の大きさや設置箇所に自由度の増大化を図ることのできる。
【００１７】
又、バルコニー部２２が設けられた２個の建物ユニット２、２同士に跨がって梁材３が設けられているので、２個の建物ユニット２、２同士に跨がってバルコニー部２２が設けられていても２個の建物ユニット２、２同士に跨がって設けられた梁材３により補強されている。
【００１８】
又、屋根ユニット４は建物ユニット２及び梁材３の上に取付けられることにより強固に安定した状態で取付けられる。
【００１９】
（参考例２）
図４は本発明のユニット建物の他の参考例を示す断面図、図５は図４に示す参考例のユニット建物の要部を示す分解斜視図である。
図４、５に示す参考例のユニット建物においては、図１〜３に示すユニット建物のようにバルコニー部２２が設けられた建物ユニット２、２同士に跨がって梁材３を設ける代わりに、バルコニー部２２が設けられた建物ユニット２と隣接する後方の建物ユニット２ａとに跨がって梁材３ａが設けられたものである。
【００２０】
図４、５に示す参考例のユニット建物においては、バルコニー部２２は２個の２階の建物ユニット２、２に跨がって設けられているので、バルコニー部２２の大きさや設置箇所は建物ユニット２の大きさや設置箇所に限定されるものではなく、バルコニー部２２の大きさや設置箇所に自由度の増大化を図ることのできる。
【００２１】
又、バルコニー部２２が設けられた２個の建物ユニット２、２と隣接する後方の建物ユニット２ａ、２ａに跨がって梁材３ａが設けられているので、２個の建物ユニット２、２同士に跨がってバルコニー部２２が設けられていても２個の建物ユニット２、２と後方の建物ユニット２ａ、２ａに跨がって設けられた梁材３により補強されている。
【００２２】
（実施例）
図６は本発明のユニット建物の一実施例を示す断面図、図７は図６に示す実施例のユニット建物の要部を示す分解斜視図である。
図６、７に示す実施例のユニット建物においては、図１〜３に示すユニット建物のようにバルコニー部２２が設けられた建物ユニット２、２同士に跨がって梁材３を設ける代わりに、パネル５が設けられたものである。
【００２３】
図６、７に示す実施例のユニット建物においては、バルコニー部２２は２個の２階の建物ユニット２、２に跨がって設けられているので、バルコニー部２２の大きさや設置箇所は建物ユニット２の大きさや設置箇所に限定されるものではなく、バルコニー部２２の大きさや設置箇所に自由度の増大化を図ることのできる。
【００２４】
又、バルコニー部２２が設けられた２個の建物ユニット２、２同士に跨がってパネル５が設けられているので、２個の建物ユニット２、２同士に跨がってバルコニー部２２が設けられていても２個の建物ユニット２、２同士に跨がって設けられたパネル５により補強されている。
【００２５】
以上、本発明を図示の実施の形態により説明したが、本発明の具体的な構成は、この実施の形態に限定されるものではなく、本発明の主旨を逸脱しない範囲の設計変更等があっても本発明に含まれる。
【００２６】
例えば、バルコニー部２２の外側に屋根のないバルコニーを突出させてもよい。
【００２７】
【発明の効果】
請求項１記載の本発明のベランダ付きユニット建物においては、バルコニーの大きさや設置箇所は建物ユニットの大きさや設置箇所に限定されるものではないので、バルコニーの大きさや設置箇所の自由度の増大化を図ることができる。
【００２８】
又、複数個の建物ユニットに跨がってバルコニーが設けられていても複数個の建物ユニット同士に跨がって設けられた壁パネルにより補強されている。
又、この壁パネルの任意の位置に開口を設けることができるので、複数個の建物ユニット同士に跨がる大型開口を設けることがてきる。
【００２９】
又、請求項２記載の本発明のユニット建物においては、バルコニー部が少なくともその２側方を壁に囲まれた引き込み型バルコニー部であるので、建物の外観に変化を与えることができる。
【図面の簡単な説明】
【図１】  本発明のユニット建物の参考例を示す斜視図。
【図２】  図１のＩＩ−ＩＩ線における断面図。
【図３】  図１、２に示す参考例のユニット建物の要部を示す分解斜視図。
【図４】  本発明のユニット建物の他の参考例を示す断面図。
【図５】  図４に示す参考例のユニット建物の要部を示す分解斜視図。
【図６】  本発明のユニット建物の一実施例を示す断面図。
【図７】  図６に示す本発明のユニット建物の要部を示す分解斜視図。
【符号の説明】
１            １階の建物ユニット
１０          コンクリート基礎
２、２ａ      ２階の建物ユニット
２１          前壁
２２          バルコニー部
２２１        手摺
２３          居室部
３            梁材
４            屋根ユニット
５            パネル
【図１】
0004132396.tif 000002
【図２】
0004132396.tif 000003
【図３】
0004132396.tif 000004
【図４】
0004132396.tif 000005
【図５】
0004132396.tif 000006
【図６】
0004132396.tif 000007
【図７】
0004132396.tif 000008